(57)【特許請求の範囲】
【請求項１】
掌の少なくとも一部を覆うように設けられている本体部と、
前記本体部と接続されており第４指を収容可能に設けられた第４指部と、前記本体部と接続されており第５指を収容可能に設けられた第５指部との少なくともいずれか一方とを備え、
前記第４指部および前記第５指部の少なくともいずれか一方において第１指側に位置する側面領域は、前記本体部と比べて摩擦係数が高い第１の滑り止め領域を含み、
前記第１の滑り止め領域は、前記第４指部および前記第５指部の少なくともいずれか一方における前記側面領域において、第４指または第５指の指先から第２関節までの間に位置する部分と当接する領域に設けられている、スローイング用手袋。
【請求項２】
前記第１の滑り止め領域は、前記第４指部および前記第５指部の少なくともいずれか一方の先端部まで延びるように形成されている、請求項１に記載のスローイング用手袋。
【請求項３】
前記本体部と接続されており第１指を収容可能に設けられた第１指部をさらに備え、
前記第１指部において第２指側に位置する側面領域は、前記本体部と比べて摩擦係数が高い第２の滑り止め領域を含んでいる、請求項１または請求項２に記載のスローイング用手袋。
【請求項４】
前記第２の滑り止め領域は、前記第１指部の先端部まで延びるように形成されている、請求項３に記載のスローイング用手袋。
【請求項５】
前記第４指部と、
前記本体部とそれぞれ接続されており、かつ、第２指および第３指のそれぞれ少なくとも一部を収容可能に設けられた第２指部、および第３指部とを備え、
前記第１指部、前記第２指部、前記第３指部、および前記第４指部は、各先端部の掌側に位置する領域に、前記本体部と比べて摩擦係数が高い第３の滑り止め領域を含んでいる、請求項３または請求項４に記載のスローイング用手袋。
【請求項６】
前記第５指部を備え、
前記第５指部は、先端部の掌側に位置する領域に、前記本体部と比べて摩擦係数が高い第４の滑り止め領域を含んでいる、請求項５に記載のスローイング用手袋。
【請求項７】
前記本体部、および前記第４指部と前記第５指部との少なくともいずれか一方の掌側を構成する材料の厚みは、０．９ｍｍ以下である、請求項１〜請求項６のいずれか１項に記載のスローイング用手袋。
【請求項８】
掌の少なくとも一部を覆うように設けられている本体部と、
前記本体部と接続されており第４指を収容可能に設けられた第４指部と、前記本体部と接続されており第５指を収容可能に設けられた第５指部との少なくともいずれか一方とを備え、
前記第４指部および前記第５指部の少なくともいずれか一方において第１指側に位置する側面領域は、前記本体部と比べて摩擦係数が高い第１の滑り止め領域を含み、
前記第１の滑り止め領域が、前記第４指部および前記第５指部の少なくともいずれか一方の先端部まで延びるように形成されていない、スローイング用手袋。
【発明の詳細な説明】
【技術分野】
【０００１】
本発明は、ボールをスローイングする側の手に着用されるスローイング用手袋に関する。
【背景技術】
【０００２】
スポーツ（たとえば野球またはソフトボールなど）をプレーする際に、手袋が着用されることがある。このような手袋は主に手を保護するために着用され、具体的にはバッティング時に両手に装着される手袋、または守備時にグローブを装着する側の手に着用される手袋が知られている（たとえば、特開２００２−６５９２８号公報参照）。
【０００３】
一方、ボールをスローイングする側の手には手袋を装着せず、素手でボールを握り、スローイングするのが一般的である。
【先行技術文献】
【特許文献】
【０００４】
【特許文献１】特開２００２−６５９２８号公報
【発明の概要】
【発明が解決しようとする課題】
【０００５】
しかしながら、素手でボールをスローイングする場合には、スローイングする際にボールを意図しない方向へ飛ばしてしまう、いわゆるすっぽ抜けを起こすことがある。すっぽ抜けは、ボールと該ボールと接する指との間に不測のすべりが生じることにより発生する。このような不測のすべりは、ボールと指との間に汗などの水分が介在したときに生じやすい。
【０００６】
本発明は、上記のような課題を解決するためになされたものである。本発明の主たる目的は、スローイングの際に、すっぽ抜けを防止することができるスローイング用手袋を提供することにある。
【課題を解決するための手段】
【０００７】
本発明に係るスローイング用手袋は、掌の少なくとも一部を覆うように設けられている本体部と、本体部と接続されており第４指を収容可能に設けられた第４指部と、本体部と接続されており第５指を収容可能に設けられた第５指部との少なくともいずれか一方とを備える。第４指部および第５指部の少なくともいずれか一方において第１指側に位置する側面領域は、本体部と比べてボールに対する摩擦係数が高い第１の滑り止め領域を含んでいる。
【発明の効果】
【０００８】
本発明によれば、スローイングの際に、すっぽ抜けを防止することができるスローイング用手袋を提供することができる。
【図面の簡単な説明】
【０００９】
【図１】実施の形態１に係るスローイング用手袋を説明するための平面図である。
【図２】実施の形態２に係るスローイング用手袋を説明するための平面図である。
【図３】実施の形態３に係るスローイング用手袋を説明するための平面図である。
【図４】実施の形態１〜３に係るスローイング用手袋の変形例を説明するための平面図である。
【図５】実施例におけるボールに対する摩擦係数の評価方法を説明するための図である。
【図６】実施例におけるボールに対する摩擦係数の評価結果を示すグラフである。
【発明を実施するための形態】
【００１０】
以下、図面を参照して、本発明の実施の形態について説明する。なお、以下の図面において同一または相当する部分には同一の参照番号を付しその説明は繰返さない。
【００１１】
（実施の形態１）
図１を参照して、実施の形態１に係るスローイング用手袋１００について説明する。図１（ａ）は、スローイング用手袋１００を掌側から見たときの平面図（正面図）である。図１（ｂ）は、スローイング用手袋１００を手の甲側から見たときの平面図（背面図）である。図１に示されるように、スローイング用手袋１００は、掌を覆うように設けられている本体部１０を備えている。本体部１０は、掌の少なくとも一部を覆うように設けられていればよいが、好ましくは掌の全体を覆うように設けられている。スローイング用手袋１００における本体部１０は、第１指、第２指、第３指、第４指および第５指の各指の延在方向において、各指の付け根（第３関節）と当接する部分を一端とし、手首と当接する部分を他端とする部分である。
【００１２】
スローイング用手袋１００は、第１指、第２指、第３指、第４指および第５指をそれぞれ収容可能に設けられた第１指部１１ａ，第２指部１１ｂ、第３指部１１ｃ、第４指部１１ｄ、第５指部１１ｅをさらに備えている。第１指部１１ａ，第２指部１１ｂ、第３指部１１ｃ、第４指部１１ｄ、および第５指部１１ｅは、それぞれ本体部１０の上記一端に接続されている。第１指部１１ａ，第２指部１１ｂ、第３指部１１ｃ、第４指部１１ｄ、および第５指部１１ｅは、それぞれ本体部１０と接続されている側の端部と反対側に位置する先端部１２ａ，１２ｂ，１２ｃ，１２ｄ，１２ｅを含んでいる。
【００１３】
スローイング用手袋１００は、本体部１０と、第１指部１１ａ，第２指部１１ｂ、第３指部１１ｃ、第４指部１１ｄ、および第５指部１１ｅとにより、スローイングに用いる側の手の全体を覆うように設けられている。
【００１４】
スローイング用手袋１００は、少なくとも２つの領域に区別され得る。以下、スローイング用手袋１００における２つの領域について説明する。スローイング用手袋１００は、少なくとも相対的にボールに対する摩擦係数の異なる２つの領域に区別され、相対的にボールに対する摩擦係数の高い滑り止め領域１と、相対的にボールに対する摩擦係数の低い他の領域２とを有している。
【００１５】
スローイング用手袋１００は、たとえば複数本の糸が編み込まれた編物として構成されている。スローイング用手袋１００を構成する複数本の糸は、一方が他方よりもボールに対する摩擦係数の高い２本の糸を含んでいる。スローイング用手袋１００は、たとえば相対的にボールに対する摩擦係数の高いポリウレタン系繊維（ＰＵ糸）で構成される第１の糸と、相対的にボールに対する摩擦係数の低いポリエステル系繊維、例えばライクラＴ４００ファイバー（東レ・オペロンティックス株式会社製）で構成される第２の糸とが編み込まれた編物として構成されている。滑り止め領域１と他の領域２とでは、上記第１の糸と上記第２の糸との編み込まれ方が異なっている。たとえば滑り止め領域１は、外表面に相対的にボールに対する摩擦係数の高い第１の糸が上記第２の糸よりも多く表出するように編み込まれていることにより、本体部１０を含む他の領域２（詳細は後述する）と比べてボールに対する摩擦係数が高い。他の領域２は、外表面に相対的にボールに対する摩擦係数の低い第２の糸が上記第１の糸よりも多く表出するように編み込まれた編物として構成されている。編成方法は例えばニットループの表裏で糸種を切り替えるプレーディングなどがある。複数の色で編成する場合には同コース内で糸種を切り替えるインターシャと先述のプレーティングを組み合わせた編成方法でもよい。この編成方法によれば、摩擦係数の低い領域も肌側には摩擦係数の高いＰＵ糸が表れるので、投球時の手袋と手のずれを防ぐことができる。
【００１６】
また、上記の糸種は同デニールでの素材違いでもよいし、同デニールでのフィラメントカウント違いでもよい。加えて、プレーティングでなくとも編み組織の平滑性を変えたもので摩擦係数を差別化したりシリコンプリントなどの後加工により摩擦係数を差別化したりしてもよい。
【００１７】
スローイング用手袋１００において、本体部１０、第１指部１１ａ，第２指部１１ｂ、第３指部１１ｃ、第４指部１１ｄ、および第５指部１１ｅの掌側に位置する領域を構成する編物の厚みは、３．０ｍｍ以下である。本体部１０、第１指部１１ａ，第２指部１１ｂ、第３指部１１ｃ、第４指部１１ｄ、および第５指部１１ｅの手の甲側に位置する部分を構成する編物の厚みは、たとえば４．０ｍｍ以下であるが、耐久性さえ担保できれば掌側、手の甲側とも薄いほど素手感覚に近くなり好ましく、たとえば０．９ｍｍ以下であるのが好ましい。
【００１８】
滑り止め領域１は、形成箇所によって第１〜第３の滑り止め領域に区別され得る。第１の滑り止め領域１（１ｄ，１ｅ）は、第４指部１１ｄおよび第５指部１１ｅの少なくともいずれか一方において第１指側に位置する側面領域に含まれている。ここで、第４指部１１ｄおよび第５指部１１ｅの少なくともいずれか一方において第１指側に位置する側面領域とは、第４指または第５指の延在方向に垂直な断面において、当該指の全周を囲むとともに当該指の先端部を囲むように袋状に設けられている第４指部１１ｄまたは第５指部１１ｅの外周において掌側に位置する点と手の甲側に位置する点との間に位置する領域であって、第１指側に位置する略半周に渡る領域である。第１の滑り止め領域１（１ｄ，１ｅ）は、第４指部１１ｄまたは第５指部１１ｅにおける上記側面領域において、少なくとも第４指または第５指の第１関節と当接する領域上に設けられている。第１の滑り止め領域１（１ｄ，１ｅ）は、第４指部１１ｄまたは第５指部１１ｅにおける上記側面領域において、先端部１２ｄ，１２ｅを含む領域に形成されているのが好ましい。第１の滑り止め領域１は、第４指部１１ｄまたは第５指部１１ｅにおける上記側面領域において、第４指または第５指の指先から第２関節までの間に位置する部分と当接する領域に設けられているのが好ましい。第４指または第５指の延在方向に垂直な第４指部１１ｄまたは第５指部１１ｅの断面において、第１指側に位置する半周のうち、たとえば周方向における５０％以上の領域に第１の滑り止め領域１が形成されていてもよい。
【００１９】
第２の滑り止め領域１（１ａ）は、第１指部１１ａにおいて第２指側に位置する側面領域に含まれている。ここで、第１指部１１ａにおいて第２指側に位置する側面領域とは、第１指の延在方向に垂直な断面において、当該指の全周を囲むとともに当該指の先端部を囲むように袋状に設けられている第１指部１１ａの外周において掌側に位置する点と手の甲側に位置する点との間に位置する領域であって、第２指側に位置する略半周に渡る領域である。第２の滑り止め領域１（１ａ）は、第１指部１１ａにおける上記側面領域において、少なくとも第１指の指先から第１関節までの間に位置する部分と当接する領域に設けられている。
【００２０】
第３の滑り止め領域１（１ａ，１ｂ，１ｃ，１ｄ）は、第１指部１１ａ、第２指部１１ｂ、第３指部１１ｃ、および第４指部１１ｄの各先端部１２ａ，１２ｂ，１２ｃ，１２ｄの掌側に位置する領域に含まれている。第３滑り止め領域１（１ａ，１ｂ，１ｃ，１ｄ）は、少なくとも各指の指先から第１関節までの間に位置する部分と当接する領域に設けられている。
【００２１】
言い換えると、第１指部１１ａには、第１指部１１ａにおける上記側面領域に含まれる第２の滑り止め領域と、第１指部１１ａの先端部１２ａを含む領域に形成されている第３の滑り止め領域とが互いに接続された、滑り止め領域１ａが形成されている。第２指部１１ｂには、第２指部１１ｂの先端部１２ｂを含む領域に形成されている第３の滑り止め領域からなる滑り止め領域１ｂが形成されている。第３指部１１ｃには、第３指部１１ｃの先端部１２ｃを含む領域に形成されている第３の滑り止め領域からなる滑り止め領域１ｃが形成されている。第４指部１１ｄには、第４指部１１ｄにおける上記側面領域に含まれる第１の滑り止め領域と、第４指部１１ｄの先端部１２ｄを含む領域に形成されている第３の滑り止め領域とが互いに接続された、滑り止め領域１ｄが形成されている。第５指部１１ｅには、第５指部１１ｅにおける上記側面領域に含まれる第１の滑り止め領域からなる滑り止め領域１ｅが形成されている。
【００２２】
一方、本体部１０の全体の領域は、相対的にボールに対する摩擦係数の低い他の領域２として形成されている。第１指部１１ａにおける滑り止め領域１ａ以外の領域は、他の領域２（２ａ）として形成されている。第２指部１１ｂにおける滑り止め領域１ｂ以外の領域は、他の領域２（２ｂ）として形成されている。第３指部１１ｃにおける滑り止め領域１ｃ以外の領域は、他の領域２（２ｃ）として形成されている。第４指部１１ｄにおける滑り止め領域１ｄ以外の領域は、他の領域２ｄとして形成されている。第５指部１１ｅにおける滑り止め領域１ｅ以外の領域は、他の領域２（２ｅ）として形成されている。
【００２３】
言い換えると、図１を参照して、滑り止め領域１は、領域３（本体部１０の全体、および第１指部１１ａ，第２指部１１ｂ、第３指部１１ｃ、第４指部１１ｄ、第５指部１１ｅの一部領域）上に形成されていない。領域３は、スローイング用手袋１００の掌側に位置する領域において、本体部１０の全体と、第１指部１１ａ，第２指部１１ｂ、第３指部１１ｃ、第４指部１１ｄ、および第５指部１１ｅにおいて本体部１０と接続されている側に位置する一部領域で構成されている。領域３は、第１指部１１ａ，第２指部１１ｂ、第３指部１１ｃ、第４指部１１ｄ、および第５指部１１ｅにおいて、それぞれ第１〜第５指の各第２関節と第３関節との間に延びるように形成されている。
【００２４】
本体部１０において、第１指部１１ａ，第２指部１１ｂ、第３指部１１ｃ、第４指部１１ｄ、および第５指部１１ｅと接続されている部分の反対側は、緊締部４と接続されている。緊締部４は、着用者の手首を緊締可能に設けられている。緊締部４は、スローイング用手袋１００の他の部分と同様に編物として構成されており、当該他の部分と異なる編み方によって伸縮性を有するように設けられている。
【００２５】
次に、スローイング用手袋１００の作用効果について説明する。スローイング用手袋１００は、掌の少なくとも一部を覆うように設けられている本体部１０と、本体部１０と接続されており第４指を収容可能に設けられた第４指部１１ｄと、本体部１０と接続されており第５指を収容可能に設けられた第５指部１１ｅとの少なくともいずれか一方とを備える。第４指部１１ｄおよび第５指部１１ｅの少なくともいずれか一方において第１指側に位置する側面領域は、本体部１０と比べてボールに対する摩擦係数が高い第１の滑り止め領域１を含んでいる。
【００２６】
このようにすれば、スローイング用手袋１００において、スローイングする際にボールに当接される部分である第４指部１１ｄまたは第５指部１１ｅにおいて第１指側に位置する側面領域が、本体部１０と比べてボールに対する摩擦係数が高い第１の滑り止め領域１（１ｄ，１ｅ）を含んでいる。
【００２７】
一般的に野球に使用されるボールをスローイングする際には、第１指において第２指側に位置する側面領域および掌側に位置する領域と、第２指および第３指の掌側に位置する領域とでボールの上下を挟み込むとともに、第４指において第１指側に位置する側面部分をボールの側面に当接させることにより、手でボールを握った状態とする。そのため、スローイング用手袋１００が第４指部１１ｄにおいて第１指側に位置する側面領域が本体部１０と比べてボールに対する摩擦係数が高い第１の滑り止め領域１ｄを含んでいれば、当該スローイング用手袋１００を着用して上記のようにボールを握ることにより、たとえば第４指とボールとの間に汗などの微量の水分が介在する場合であっても、第１の滑り止め領域１をボールに当接させることができる。その結果、当該スローイング用手袋１００を着用してボールをスローイングすることにより、第４指とボールとの間の不測のすべりの発生を抑制することができるため、すっぽ抜けの発生を抑制することができる。
【００２８】
また、一般的にソフトボールに使用されるボールをスローイングする際には、第１指において第２指側に位置する側面部分および掌側に位置する領域と、第２指、第３指および第４指の掌側に位置する領域とでボールの上下を挟み込むとともに、第５指において第１指側に位置する側面部分をボールの側面に当接させることにより、手でボールを握った状態とする。そのため、スローイング用手袋１００が第５指部１１ｅにおいて第１指側に位置する側面領域が本体部１０と比べてボールに対する摩擦係数が高い第１の滑り止め領域１ｅを含んでいれば、当該スローイング用手袋１００を着用して上記のようにボールを握ることにより、第１の滑り止め領域１をボールに当接させることができる。その結果、当該スローイング用手袋１００を着用してボールをスローイングすることにより、第５指とボールとの間の不測のすべりの発生を抑制することができるため、すっぽ抜けを防止することができる。
【００２９】
上記スローイング用手袋１００において、第１の滑り止め領域１は、第４指部１１ｄおよび第５指部１１ｅの少なくともいずれか一方の先端部１２ｄ，１２ｅまで延びるように形成されているのが好ましい。
【００３０】
このようにすれば、第４指部１１ｄには先端部１２ｄを含むより広い領域に第１の滑り止め領域１（１ｄ）が形成されている。そのため、当該スローイング用手袋１００を着用してボールをスローイングすることにより、第４指とボールとの間の不測のすべりの発生をより効果的に抑制することができ、すっぽ抜けの発生を抑制することができる。あるいは、第５指部１１ｅには先端部１２ｅを含むより広い領域に第１の滑り止め領域１（１ｅ）が形成されている。そのため、当該スローイング用手袋１００を着用してボールをスローイングすることにより、第５指とボールとの間の不測のすべりの発生をより効果的に抑制することができ、すっぽ抜けの発生を抑制することができる。
【００３１】
上記スローイング用手袋１００は、本体部１０と接続されており第１指を収容可能に設けられた第１指部１１ａをさらに備えるのが好ましい。第１指部１１ａにおいて第２指側に位置する側面領域は、本体部１０と比べてボールに対する摩擦係数が高い第２の滑り止め領域１（１ａ）を含んでいる。
【００３２】
上述のように、一般的な野球またはソフトボールに使用されるボールをスローイングする際に、ボールは第１指において第２指側に位置する側面部分に当接される。そのため、第１指部１１ａにおいて第２指側に位置する側面領域が本体部１０と比べてボールに対する摩擦係数が高い第２の滑り止め領域１（１ａ）を含んでいれば、当該スローイング用手袋１００を着用して上記のようにボールを握ることにより、第１の滑り止め領域１（１ａ）をボールに当接させることができる。その結果、当該スローイング用手袋１００を着用してボールをスローイングすることにより、第１指とボールとの間の不測のすべりの発生を抑制することができるため、すっぽ抜けを防止することができる。
【００３３】
上記スローイング用手袋１００において、第２の滑り止め領域１（１ａ）は、第１指部の先端部１２ａまで延びるように形成されているのが好ましい。
【００３４】
このようにすれば、第１指部１１ａには先端部１２ａを含むより広い領域に第２の滑り止め領域１（１ａ）が形成されている。そのため、当該スローイング用手袋１００を着用してボールをスローイングすることにより、第１指とボールとの間の不測のすべりの発生をより効果的に抑制することができ、すっぽ抜けの発生を抑制することができる。
【００３５】
上記スローイング用手袋１００は、第４指部１１ｄと、本体部１０とそれぞれ接続されており、かつ、第２指および第３指のそれぞれ少なくとも一部を収容可能に設けられた第２指部１１ｂ、および第３指部１１ｃとを備える。第１指部１１ａ、第２指部１１ｂ、第３指部１１ｃ、および第４指部１１ｄは、各先端部１２ａ，１２ｂ，１２ｃ，１２ｄの掌側に位置する領域に、本体部１０と比べてボールに対する摩擦係数が高い第３の滑り止め領域１（１ａ，１ｂ，１ｃ，１ｄ）を含んでいるのが好ましい。
【００３６】
上述のように、一般的な野球またはソフトボールに使用されるボールをスローイングする際に、ボールは第１指において掌側に位置する領域にも当接され得る。そのため、第１指部１１ａにおいて第２指側に位置する側面領域だけでなく、第１指部１１ａにおいて掌側に位置する領域が本体部１０と比べてボールに対する摩擦係数が高い第３の滑り止め領域１（１ａ）を含んでいれば、当該スローイング用手袋１００を着用して上記のようにボールを握ることにより、第１および第３の滑り止め領域１（１ａ）をボールに当接させることができる。その結果、当該スローイング用手袋１００を着用してボールをスローイングすることにより、第１指とボールとの間の不測のすべりの発生をより効果的に抑制することができるため、すっぽ抜けをより効果的に防止することができる。
【００３７】
上記スローイング用手袋１００において、本体部１０、および第４指部１１ｄと第５指部１１ｅとの少なくともいずれか一方の掌側を構成する材料の厚みは、０．９ｍｍ以下であるのが好ましい。
【００３８】
従来、野球またはソフトボールのプレイヤーはスローイングする側の手には手袋を着用せず、素手でボールを掴みスローイングするのが通常である。そのため、上記スローイング用手袋１００において、本体部１０、および第４指部１１ｄと第５指部１１ｅとの少なくともいずれか一方の掌側を構成する材料の厚みを薄くすることにより、素手でスローイングするときの感覚を有する着用者が、スローイング用手袋１００を着用した状態でスローイングする際に違和感を感じ難くすることができる。
【００３９】
上記スローイング用手袋１００において、滑り止め領域１は、領域３（本体部１０の全体、および第１指部１１ａ，第２指部１１ｂ、第３指部１１ｃ、第４指部１１ｄ、第５指部１１ｅの一部領域）上に形成されていない。
【００４０】
このようにすれば、スローイング用手袋１００を着用した手でよりスムーズにボールをスローイングすることができる。ボールをスローイングする際には、まずスローイングする側の手でボールを掴み、続けてスローイングに適した握り方（上述した手でボールを握った状態）となるようにボールを握り直し、その後スローイングするのが好ましい。スローイングに適した握り方でなければ、ボールのコントロール性などが低下するためのである。通常、ボールを握り直すときには、掌の上でボールを転がしてボールを所定の位置に素早く移動させる必要がある。そのため、スローイング用手袋１００は、掌を覆うように設けられている本体部１０が滑り止め領域１を含まないように設けられていることから、スローイング用手袋１００を着用してスローイングする際にも、素手によりスローイングする場合と同程度にボールを素早く握り直すことができる。つまり、スローイング用手袋１００によれば、ボールの握り直し易さなどのスローイング性を素手と同程度としながらも、素手と比べてすっぽ抜けの発生を抑制することができる。
【００４１】
なお、スローイング用手袋１００において、滑り止め領域１は、上述のように本体部１０（他の領域２）と異なる編物として構成されている場合に限られるものでは無い。滑り止め領域１は、編物として構成されている第１指部１１ａ，第２指部１１ｂ、第３指部１１ｃ、第４指部１１ｄ、および第５指部１１ｅの外表面上に形成された薄膜として構成されていてもよい。この場合、スローイング用手袋１００は、たとえば、本体部１０、第１指部１１ａ，第２指部１１ｂ、第３指部１１ｃ、第４指部１１ｄ、および第５指部１１ｅが同一のボールに対する摩擦係数を有する複数本の糸を用いて均一の編まれた編物であってもよい。滑り止め領域１を構成する材料は、編物の一部分としての本体部１０（他の領域２）と比べてボールに対する摩擦係数が高い材料であればよい。
【００４２】
（実施の形態２）
次に、図２を参照して、実施の形態２に係るスローイング用手袋１１０について説明する。実施の形態２に係るスローイング用手袋１１０は、基本的には実施の形態１に係るスローイング用手袋１００と同様の構成を備えるが、第５指部１１ｅの掌側に位置する領域に第４の滑り止め部１ｅを含んでいる点で異なる。また、第１指部１１ａ、第２指部１１ｂ、第３指部１１ｃ、第４指部１１ｄ、および第５指部１１ｅの手の甲側に位置する部分が、滑り止め領域１を含んでいる点で異なる。
【００４３】
第１指部１１ａ、第２指部１１ｂ、第３指部１１ｃ、および第４指部１１ｄの手の甲側に位置する部分に形成されている滑り止め領域１は、掌側に位置する領域に含まれている滑り止め領域１（第３の滑り止め領域）と各指の延在方向に対して垂直な周方向に連なるように設けられている。異なる観点から言えば、第１指部１１ａ、第２指部１１ｂ、第３指部１１ｃ、および第４指部１１ｄにおいて、滑り止め領域１は、先端部１２ａ，１２ｂ，１２ｃ，１２ｄを有し袋状に設けられている部分を含んでいる。
【００４４】
第５指部１１ｅの掌側に位置する領域および手の甲側に位置する部分に形成されている滑り止め領域１ｅは、第５指の延在方向に対して垂直な周方向に連なるように設けられている。異なる観点から言えば、第５指部１１ｅにおいて、滑り止め領域１ｅは、先端部１２ｅを有し袋状に設けられている部分を含んでいる。
【００４５】
このようにしても、スローイング用手袋１１０は、実施の形態１に係るスローイング用手袋１００における滑り止め領域１と同一の領域に滑り止め領域１を含んでいるため、スローイング用手袋１００と同様の作用効果を奏することができる。
【００４６】
さらに、スローイング用手袋１１０は、第１指部１１ａ、第２指部１１ｂ、第３指部１１ｃ、第４指部１１ｄ、および第５指部１１ｅにおいて、袋状に設けられた滑り止め領域１を含んでいる。そのため、滑り止め領域１が編物として構成されている場合には、滑り止め領域１と他の領域２との編み変えを容易に行うことができる。その結果、編物として構成されたスローイング用手袋１１０は、同じく編物として構成されたスローイング用手袋１００と比べて、製造コストを低く抑えることができる。
【００４７】
（実施の形態３）
次に、図３を参照して、実施の形態３に係るスローイング用手袋１２０について説明する。実施の形態３に係るスローイング用手袋１２０は、基本的には実施の形態１に係るスローイング用手袋１００と同様の構成を備えるが、第２指および第３指が露出するように設けられている点で異なる。
【００４８】
第２指部１１ｂおよび第３指部１１ｃには、それぞれ開口部として設けられている端部５ｂ，５ｃが形成されている。端部５ｂ，５ｃは、少なくとも第２指および第３指の第１関節より指先を露出するように設けられている。スローイング用手袋１２０において、第２指部１１ｂおよび第３指部１１ｃには、滑り止め領域１が形成されていない。
【００４９】
このようにしても、スローイングする際にボールに当接される部分である第４指部１１ｄまたは第５指部１１ｅにおいて第１指側に位置する側面領域が、本体部１０と比べてボールに対する摩擦係数が高い第１の滑り止め領域１（１ｄ，１ｅ）を含んでいる。
【００５０】
そのため、当該スローイング用手袋１２０を着用してボールをスローイングすることにより、第４指とボールとの間の不測のすべりの発生をより効果的に抑制することができ、すっぽ抜けの発生を抑制することができる。また、第５指部１１ｅには先端部１２ｅを含むより広い領域に第１の滑り止め領域１（１ｅ）が形成されている。そのため、当該スローイング用手袋１００を着用してボールをスローイングすることにより、第５指とボールとの間の不測のすべりの発生をより効果的に抑制することができ、すっぽ抜けの発生を抑制することができる。また、当該スローイング用手袋１００を着用して上記のようにボールを握ることにより、第１の滑り止め領域１（１ａ）をボールに当接させることができる。その結果、当該スローイング用手袋１００を着用してボールをスローイングすることにより、第１指とボールとの間の不測のすべりの発生を抑制することができるため、すっぽ抜けを防止することができる。また、スローイング用手袋１２０を着用してボールをスローイングする場合には第２指および第３指は直接ボールに接触されるため、従来素手でボールをスローイングしていた着用者がスローイング用手袋１２０を着用してスローイングする際に違和感を感じ難くすることができる。
【００５１】
また、図１〜図３に示されるスローイング用手袋１００，１１０，１２０は、上述のように、野球用およびソフトボール用の兼用スローイング用手袋１００として設けられているが、これに限られるものではなく、野球用またはソフトボール用に特化されたスローイング用手袋として設けられていてもよい。図４（ａ）および図４（ｂ）は、野球用に特化されたスローイング手袋１３０を説明するための図である。図４に示されるように、野球用に特化されたスローイング用手袋１３０であれば、第５指部１１ｅにおける上記側面領域に含まれる滑り止め領域１ｅを含んでいなくてもよい。この場合、図４に示されるように、第４指部１１ｄの掌側に位置する領域に滑り止め領域１ｅを含んでいなくてもよい。また、第４指部１１ｄにおいて第１指側に位置する側面領域に含まれる滑り止め領域１ｄは、先端部１２ｄまで延びるように形成されていなくてもよい。第４指部１１ｄにおいて第１指側に位置する側面領域に含まれる滑り止め領域１ｄは第１関節の近傍に当接する部分に設けられていてもよい。なお、野球用に特化されたスローイング手袋１３０は、第５指部１１ｅを備えていなくてもよい。
【００５２】
ソフトボール用に特化されたスローイング用手袋１００であれば、第４指部１１ｄにおける上記側面領域に含まれる滑り止め領域１ｄを含んでいなくてもよい。この場合、第５指部１１ｅにおいて第１指側に位置する側面領域に滑り止め領域１ｅ（図１参照）が含まれていればよい。滑り止め領域１ｅは、先端部１２ｅまで延びるように形成されていなくてもよく、第１関節の近傍に当接する部分に設けられていてもよい。
【実施例】
【００５３】
次に、実施例について説明する。本実施例では、実施の形態１に係るスローイング用手袋１００の滑り止め領域１および他の領域２についてボールに対する摩擦係数を評価した。
【００５４】
＜試料＞
相対的にボールに対する摩擦係数の高いＰＵ糸で構成される第１の糸と、相対的にボールに対する摩擦係数の低いライクラＴ４００ファイバー（東レ・オペロンティックス株式会社製）で構成される第２の糸により編み込まれたスローイング用手袋１００を準備した。スローイング用手袋１００において、外表面に上記第１の糸が多く表出している滑り止め領域１を切り取り、試料１とした。また、外表面に上記第２の糸が多く表出している他の領域２とを切り取り、試料２とした。
【００５５】
＜評価方法＞
図５は、本実施例におけるボールに対する摩擦係数の評価方法を説明するための図である。試料１および試料２は、それぞれ対象物１４０として外表面を上向きとし、内表面が台２０と両面テープで貼り付けられることにより固定される。
【００５６】
台２０に固定された対象物１４０上にボール３０を配置する。ボール３０は、縫い目が無い部分が対象物１４０に当接するように配置される。また、このときのボール３０の側面に糸２１の一端を固定し、糸２１の他端を滑車２２を介して引張試験器（（株）島津製作所製「オートグラフ」）のつかみ具２３に固定する。
【００５７】
つかみ具２３を１００ｍｍ／分の速度で上方（図５中の矢印Ａの指す方向）に移動させ、ボール３０を対象物１４０に対して図５中の矢印Ｂの指す方向にスライドさせる。このときの荷重値を測定し、荷重値からボールに対する動摩擦係数を算出した。荷重値の測定および動摩擦係数の算出は５回行い、５回の平均値および標準偏差を算出した。
【００５８】
なお、ボール３０として４種類の公認球（軟式野球の公認球、硬式野球の公認球、ゴム製ソフトボールの公認球、革製ソフトボールの公認球を準備し、それぞれに対して評価を行った。
【００５９】
＜結果＞
図６は、本実施例の評価結果（平均値および標準偏差）を示すグラフである。図６の縦軸は摩擦係数を示し、横軸は４種類の公認球毎の評価結果を並べたものである。図６において、摩擦係数の平均値は各棒グラフで示し、標準偏差はバー形式で示す。
【００６０】
軟式野球用の公認球に対しては、試料２の摩擦係数の平均値が０．６６であるのに対し、試料１の摩擦係数の平均値が０．９４であった。硬式野球用の公認球に対しては、試料２の摩擦係数の平均値が０．５０であるのに対し、試料１の摩擦係数の平均値が０．８３であった。ゴム製のソフトボールの公認球に対しては、試料２の摩擦係数の平均値が０．９０であるのに対し、試料１の摩擦係数の平均値が１．０３であった。革製のソフトボールの公認球に対しては、試料２の摩擦係数の平均値が０．５１であるのに対し、試料１の摩擦係数の平均値が０．７６であった。これにより、試料１（スローイング用手袋１００における滑り止め領域１）は、試料２（スローイング用手袋１００における他の領域２）と比べて、各公認球に対して摩擦係数が高いことが確認された。
【００６１】
なお、軟式野球用の公認球に対しては、試料１の摩擦係数の標準偏差が０．０２、試料２の摩擦係数の標準偏差が０．０１であった。硬式野球用の公認球に対しては、試料１の摩擦係数の標準偏差が０．０２、試料２の摩擦係数の標準偏差が０．０１であった。ゴム製のソフトボールの公認球に対しては、試料１の摩擦係数の標準偏差が０．０１、試料２の摩擦係数の標準偏差が０．０３であった。革製のソフトボールの公認球に対しては、試料１の摩擦係数の標準偏差が０．０１、試料２の摩擦係数の標準偏差が０．０１であった。
【００６２】
ここで、水に浸しておいた公式野球の公認球を、５人の被験者に素手とスローイング用手袋を着用した状態とで各々５０回スローイングさせ、すっぽ抜けの回数をカウントした。スローイングは、投球位置から１５ｍ先の地面に設置した１．５ｍ角の的に向けて行った。被験者は全て右利きであるので、上記公認球が的に対し右上に逸れ、かつ被験者が不測の滑りを感じた場合をすっぽ抜けと定義した。その結果、素手の場合にはすっぽ抜けが平均８回起きたのに対して、実施の形態１に係るスローイング用手袋を着用した場合にはすっぽ抜けは起きなかった。
【００６３】
本実施例の結果から、スローイング用手袋１００の滑り止め領域１および他の領域２のボールに対する摩擦係数は、各公認球に対し、たとえば以下のような数値範囲にあれば、すっぽ抜けを抑制することできることが確認された。
【００６４】
軟式野球用の公認球をスローイングするためのスローイング用手袋１００は、滑り止め領域１の軟式野球用の公認球に対する摩擦係数が０．８５以上１．０５以下、他の領域２の軟式野球用の公認球に対する摩擦係数が０．５５以上０．７５以下であるのが適当である。
【００６５】
硬式野球用の公認球をスローイングするためのスローイング用手袋１００は、滑り止め領域１の硬式野球用の公認球に対する摩擦係数が０．７０以上０．９０以下、他の領域２の硬式野球用の公認球に対する摩擦係数が０．４０以上０．６０以下であるのが適当である。
【００６６】
ゴム製ソフトボールの公認球をスローイングするためのスローイング用手袋１００は、滑り止め領域１のゴム製ソフトボールの公認球に対する摩擦係数が０．９５以上１．１５以下、他の領域２のゴム製ソフトボールの公認球に対する摩擦係数が０．７５以上０．９５以下であるのが適当である。
【００６７】
革製ソフトボールの公認球をスローイングするためのスローイング用手袋１００は、滑り止め領域１の革製ソフトボールの公認球に対する摩擦係数が０．６５以上０．８５以下、他の領域２の革製ソフトボールの公認球に対する摩擦係数が０．４０以上０．６０以下であるのが適当である。
【００６８】
今回開示された各実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることを意図される。
【産業上の利用可能性】
【００６９】
本発明は、ボールをスローイングをする側の手に着用されるスローイング用手袋に有利に適用される。
【符号の説明】
【００７０】
１（１ａ，１ｂ，１ｃ，１ｄ，１ｅ）  滑り止め領域（第１の滑り止め領域、第２の滑り止め領域、第３の滑り止め領域、第４の滑り止め領域）、２（２ａ，２ｂ，２ｃ，２ｄ，２ｅ）  他の領域、４  緊締部、５ｂ，５ｃ  端部、１０  本体部、１１ａ  第１指部、１１ｂ  第２指部、１１ｃ  第３指部、１１ｄ  第４指部、１１ｅ  第５指部、１２ａ，１２ｂ，１２ｃ，１２ｄ，１２ｅ  先端部、１００，１１０，１２０  スローイング用手袋。
【図１】
0006596254.tif 000002
【図２】
0006596254.tif 000003
【図３】
0006596254.tif 000004
【図４】
0006596254.tif 000005
【図５】
0006596254.tif 000006
【図６】
0006596254.tif 000007